(57)【要約】      （修正有）【課題】寝たときの姿勢によらず、首筋を自然な状態に保持しながら頭部を支持して、安眠を促すことができる枕を提供する。【解決手段】低反発ウレタンフォームＴＦを基材とし仰向けに寝るときに使用する中央部１Ｔと横向きに寝るときに使用する側方部とを有する芯材１と、当該芯材を被覆するカバー部材２とを備え、芯材の上面１２で首部ＫＢが当接する首当接部３を、頭部ＴＢが当接する頭当接部４より相対的に高く形成した枕１０である。芯材１の下面１１を平坦に形成すると共に、芯材１の中央部１Ｔにおける首当接部３Ｔと頭当接部４Ｔとの高低差Ｄ１が、芯材１の側方部における首当接部と頭当接部との高低差より大きく形成されている。【選択図】図２
0003223788.tif 000002
【実用新案登録請求の範囲】
【請求項１】
低反発ウレタンフォームを基材とし仰向けに寝るときに使用する中央部と横向きに寝るときに使用する側方部とを有する芯材と、当該芯材を被覆するカバー部材とを備え、前記芯材の上面で首部が当接する首当接部を、頭部が当接する頭当接部より相対的に高く形成した枕であって、
前記芯材の下面を平坦に形成すると共に、前記芯材の中央部における前記首当接部と前記頭当接部との高低差が、前記芯材の側方部における前記首当接部と前記頭当接部との高低差より大きく形成されていることを特徴とする枕。
【請求項２】
請求項１に記載された枕において、
前記芯材の中央部における前記首当接部の下方には、前記芯材の硬度より硬い軸状芯材が軸方向を左右方向に向けて埋設されていることを特徴とする枕。
【請求項３】
請求項２に記載された枕において、
前記芯材の下面側には、前記軸状芯材を前記芯材内にインサート成形するときに当該軸状芯材を水平状に支持する支持金具の挿通孔が形成されていることを特徴とする枕。
【請求項４】
請求項１乃至請求項３のいずれか１項に記載された枕において、
前記芯材の中央部には、前記首当接部の前方で背中に当接する背中当接部が形成されていることを特徴とする枕。
【請求項５】
請求項１乃至請求項４のいずれか１項に記載された枕において、
前記芯材の側端部では、前記芯材の上面端縁が下面端縁より左右外方へ延設されていることを特徴とする枕。
【請求項６】
請求項１乃至請求項５のいずれか１項に記載された枕において、
前記芯材は、前記低反発ウレタンフォームに微量なゼリー状の粘着剤が分散配置されて所定の立体形状に形成されていることを特徴とする枕。
【考案の詳細な説明】
【技術分野】
【０００１】
本考案は、枕に関し、詳しくは、寝たときの姿勢によらず、首筋を自然な状態に保持しながら頭部を支持して、安眠を促すことができる枕に関する。
【背景技術】
【０００２】
近年、寝たときの姿勢によらず、頭筋を自然な状態に保持しながら頭部を支持して、安眠を促すことができる枕が、求められている。そのため、例えば、特許文献１には、図１０に示すように、弾力性のある樹脂フォームで形成された芯材１０１を有する枕において、芯材１０１の上面は、側方から見て首部が当接する部分１０２が高く、後頭部が当接する部分１０３が低くなるように形成され、芯材１０１の下面は、その中央部１０４が頭の軸線方向に沿って凹状に形成されていることを特徴とする枕１００が開示されている。
【０００３】
上記枕１００によれば、例えば、仰向けに寝たときには、首部が上面の高い部分１０２に当たり、後頭部が上面の低い部分１０３に当接するので、首筋を自然な姿勢に保つことができる。また、寝返りをして横向きになるときには、枕の下面に凹部が形成されていない部分（枕のいずれかの側方部分）に頭が移動するので、頭を支持する位置が高くなり、肩が入ることで首部が上昇しても、頚骨のラインが曲がることなく自然な姿勢に保たれる。
【先行技術文献】
【特許文献】
【０００４】
【特許文献１】特開２０００−３２５２０２号公報
【考案の概要】
【考案が解決しようとする課題】
【０００５】
しかしながら、上記枕１００では、芯材１０１の上面は、側方から見て首部が当接する部分１０２が高く、後頭部が当接する部分１０３が低くなるように形成され、首部が当接する部分１０２と後頭部が当接する部分１０３との高低差は、仰向けに寝る中央部から横向きに寝る側方部まで略同一に形成されている。
【０００６】
そのため、仰向けに寝たときに首筋を自然な状態に保つように、芯材１０１の上面における首部が当接する部分１０２を、後頭部が当接する部分１０３より高くすると、横向きに寝たときには、首元のカーブの違いから、側頭部が下がり過ぎて首筋がへの字状に曲がり、不自然な状態となる問題があった。
【０００７】
また、横向きに寝たときにおける側頭部の下がり過ぎを防止しようとすると、仰向けに寝たときに後頭部が高くなり過ぎて、気道を圧迫した不自然な状態となる問題があった。さらに、仰向けに寝たときの気道を開くために、首部が当接する部分１０２を高くすると、背中が浮いて、首部に対する局部的な負担が増加し、疲労感が増して安眠を得にくいという問題があった。
【０００８】
本考案は、上記問題点を解決するためになされたものであり、寝たときの姿勢によらず、首筋を自然な状態に保持しながら頭部を支持して、安眠を促すことができる枕を提供することを目的とする。
【課題を解決するための手段】
【０００９】
上記課題を解決するために、本考案に係る枕は、次のような構成を有している。
（１）低反発ウレタンフォームを基材とし仰向けに寝るときに使用する中央部と横向きに寝るときに使用する側方部とを有する芯材と、当該芯材を被覆するカバー部材とを備え、前記芯材の上面で首部が当接する首当接部を、頭部が当接する頭当接部より相対的に高く形成した枕であって、
前記芯材の下面を平坦に形成すると共に、前記芯材の中央部における前記首当接部と前記頭当接部との高低差が、前記芯材の側方部における前記首当接部と前記頭当接部との高低差より大きく形成されていることを特徴とする。
【００１０】
本考案においては、芯材の下面を平坦に形成すると共に、芯材の中央部における首当接部と頭当接部との高低差が、芯材の側方部における首当接部と頭当接部との高低差より大きく形成されているので、芯材の中央部で仰向けに寝たときに首筋を自然な状態に保持しながら後頭部を支持でき、また、芯材の側方部で横向きに寝たときにも首筋を自然な状態に保持しながら側頭部を支持できる。そのため、仰向けに寝たときに後頭部が高くなり過ぎて、気道を圧迫した不自然な状態となるのを防止できると共に、首元のカーブの違いから、横向きに寝たときに側頭部が下がり過ぎて首筋がへの字状に曲がり、不自然な状態となるのを防止できる。したがって、寝たときの姿勢によらず、首筋を自然な状態に保持しながら頭部を支持して、鼻呼吸をしやすい睡眠姿勢となり、安眠を促すことができる。
【００１１】
（２）（１）に記載された枕において、
前記芯材の中央部における前記首当接部の下方には、前記芯材の硬度より硬い軸状芯材が軸方向を左右方向に向けて埋設されていることを特徴とする。
【００１２】
本考案においては、芯材の中央部における首当接部の下方には、芯材の硬度より硬い軸状芯材が軸方向を左右方向に向けて埋設されているので、芯材の中央部における首当接部の下方への変形を低減して、仰向けに寝たときの首筋をより一層自然な状態に維持することができる。そのため、仰向けに寝たときに、気道を開いた姿勢をより安定して確保できる。
【００１３】
（３）（２）に記載された枕において、
前記芯材の下面側には、前記軸状芯材を前記芯材内にインサート成形するときに当該軸状芯材を水平状に支持する支持金具の挿通孔が形成されていることを特徴とする。
【００１４】
本考案においては、芯材の下面側には、軸状芯材を芯材内にインサート成形するときに当該軸状芯材を水平状に支持する支持金具の挿通孔が形成されているので、芯材と軸状芯材とを簡単な金型で一体成形できる。そのため、より安価な金型構造を用いて、首当接部の下方近傍に芯材の硬度より硬い軸状芯材を埋設し、仰向けに寝たときの首当接部に対する頭当接部の高低差を維持することができる。したがって、より低コストで、安眠を促すことができる枕を提供することができる。
【００１５】
（４）（１）乃至（３）のいずれか１つに記載された枕において、
前記芯材の中央部には、前記首当接部の前方で背中に当接する背中当接部が形成されていることを特徴とする。
【００１６】
本考案においては、芯材の中央部には、首当接部の前方で背中に当接する背中当接部が形成されているので、仰向けに寝たときの背中の体重を背中当接部が受けることによって、首部に対する局部的な負担を軽減できる。したがって、首や背中の疲労感を軽減して、より一層安眠を促すことができる。
【００１７】
（５）（１）乃至（４）のいずれか１つに記載された枕において、
前記芯材の側端部では、前記芯材の上面端縁が下面端縁より左右外方へ延設されていることを特徴とする。
【００１８】
本考案においては、芯材の側端部では、芯材の上面端縁が下面端縁より左右外方へ延設されているので、横向きに寝たときに肘を畳んで手を枕の側端部に添えることができる。また、横向きに寝たとき、顔の側面（頬や鼻等）に当接する芯材の側端部近傍が撓み易く、顔に対する違和感を軽減することができる。そのため、より自然な姿勢で、違和感なく安眠することができる。
【００１９】
（６）（１）乃至（５）のいずれか１つに記載された枕において、
前記芯材は、前記低反発ウレタンフォームに微量なゼリー状の粘着剤が分散配置されて所定の立体形状に形成されていることを特徴とする。
【００２０】
本考案においては、芯材は、低反発ウレタンフォームに微量のゼリー状の粘着剤が分散配置されて所定の立体形状に形成されているので、首当接部や頭当接部において首、頭、顔等の複雑な形状に滑らかに沿いつつ、枕としての必要な弾力性を保持することができる。その結果、寝たときの姿勢によらず、首筋を自然な状態に保持しながら頭部を柔らかく安定的に支持して、より一層心地よい安眠を促すことができる。
【考案の効果】
【００２１】
本考案によれば、寝たときの姿勢によらず、首筋を自然な状態に保持しながら頭部を支持して、安眠を促すことができる枕を提供することができる。
【図面の簡単な説明】
【００２２】
【図１】本実施形態に係る枕の平面図である。
【図２】図１に示すＡ−Ａ断面図である。
【図３】図１に示すＢ―Ｂ断面図である。
【図４】図１に示すＣ−Ｃ断面図である。
【図５】図１に示すＡ−Ａ断面斜視図である。
【図６】図１に示すＣ−Ｃ断面斜視図である。
【図７】図１に示すＤ−Ｄ断面斜視図である。
【図８】図３に示すＥ部詳細断面図である。
【図９】図１に示す枕を使用したときの体圧分散の比較図である。（Ａ）は、本枕を使用したときの体圧分散図を示し、（Ｂ）は、一般的な枕を使用したときの体圧分散図を示す。
【図１０】特許文献１に記載された枕の斜視図である。
【考案を実施するための形態】
【００２３】
次に、本考案に係る実施形態である枕について、図面を参照して詳細に説明する。はじめに、本枕の構造について詳細に説明し、その後、本枕を使用したときの体圧分散の状況について簡単に説明する。
【００２４】
＜本枕の構造＞
まず、本実施形態に係る枕の構造を、図１〜図８を用いて説明する。図１に、本実施形態に係る枕の平面図を示す。図２に、図１に示すＡ−Ａ断面図を示す。図３に、図１に示すＢ―Ｂ断面図を示す。図４に、図１に示すＣ−Ｃ断面図を示す。図５に、図１に示すＡ−Ａ断面斜視図を示す。図６に、図１に示すＣ−Ｃ断面斜視図を示す。図７に、図１に示すＤ−Ｄ断面斜視図を示す。図８に、図３に示すＥ部詳細断面図を示す。
【００２５】
図１〜図８に示すように、本実施形態に係る枕１０は、低反発ウレタンフォームＴＦを基材とし仰向けに寝るときに使用する中央部１Ｔと横向きに寝るときに使用する側方部１Ｓとを有する芯材１と、当該芯材１を被覆するカバー部材２とを備え、芯材１の上面１２で首部ＫＢが当接する首当接部３（３Ｔ、３Ｓ）を、頭部ＴＢが当接する頭当接部４（４Ｔ、４Ｓ）より相対的に高く形成した枕である。芯材１は、平面視で前後方向の長さより左右方向の長さが長い略矩形状体に形成され、上下の高さは、体形や性別、年齢等に応じて適宜設定することができる。
【００２６】
また、芯材１の下面１１を平坦に形成すると共に、芯材１の中央部１Ｔにおける首当接部３Ｔと頭当接部４Ｔとの高低差Ｄ１が、芯材１の側方部１Ｓにおける首当接部３Ｓと頭当接部４Ｓとの高低差Ｄ２より大きく形成されている。これによって、芯材１の中央部１Ｔで仰向けに寝たときに首筋を自然な状態に保持しながら後頭部を適正な高さで支持でき、また、芯材１の側方部１Ｓで横向きに寝たときにも首筋を自然な状態に保持しながら側頭部を適正な高さで支持できる。その結果、寝たときの姿勢によらず、鼻呼吸をしやすい睡眠姿勢となり、安眠を促すことができる。
【００２７】
なお、芯材１の中央部１Ｔにおける頭当接部４Ｔは、首当接部３Ｔから下方へ湾曲して後頭部を包み込むように形成されている。また、芯材１の中央部１Ｔにおける頭当接部４Ｔと、側方部１Ｓにおける頭当接部４Ｓとの間には、両者より高い山部４Ｙが前後方向に形成されている。これによって、仰向けに寝たとき後頭部に作用する圧力を頭部全体的に分散させることができる。また、芯材１の側方部１Ｓにおける頭当接部４Ｓは、首当接部３Ｓから緩やかに下方へ傾斜するように形成されている。これによって、側頭部の沈みこみや首筋の変形を、より一層回避することができる。
【００２８】
また、芯材１の中央部１Ｔにおける首当接部３Ｔの下方には、芯材１の硬度より硬い軸状芯材５が軸方向を左右方向に向けて埋設されていることが好ましい。軸状芯材５は、例えば、円柱状に形成されウレタン発泡体であって、軸方向の長さが、芯材１の中央部１Ｔの左右幅に相当する長さに形成されている。軸状芯材５は、首当接部３Ｔの上面近傍に配置されている。また、例えば、芯材１の硬度が３０〜４０Ｎ程度（JIS K 6400-2）であるのに対して、軸状芯材５の硬度が９０〜１００Ｎ程度（JIS K 6400-2）であり、軸状芯材５の硬度が芯材１の硬度の３倍程度であることが好ましい。これによって、芯材１の中央部１Ｔにおける首当接部３Ｔの下方への変形を低減して、仰向けに寝たときの首筋をより一層自然な状態に維持することができる。
【００２９】
また、芯材１の下面１１側には、軸状芯材５を芯材１内にインサート成形するときに当該軸状芯材５を水平状に支持する支持金具の挿通孔１４が形成されている。挿通孔１４は、芯材１の下面１１から円柱体に形成された軸状芯材５まで貫通されている。挿通孔１４は、例えば、軸状芯材５の左右両端部近傍と中央部近傍に対応する位置に、それぞれ形成されている。これによって、芯材１と軸状芯材５とを支持金具を備えた簡単な金型で一体成形できる。
【００３０】
また、芯材１の中央部１Ｔには、首当接部３Ｔの前方で背中ＳＢに当接する背中当接部６が形成されていることが好ましい。背中当接部６の上面は、例えば、首当接部３Ｔの上面前端から前下方へ、水平面に対して略３０〜４５度程度の傾斜角θ１で傾斜するように形成されている。背中当接部６は、仰向けに寝たときの背中ＳＢの体重を受けることによって、首部ＫＢに対する局部的な負担を軽減できる。なお、芯材１の側方部１Ｓには、首当接部３Ｓの前方で肩に当接する肩当接部７が形成されていることが好ましい。肩当接部７の上面は、例えば、首当接部３Ｓの上面前端から前下方へ、水平面に対して略７０〜８０度程度の傾斜角θ２で傾斜するように形成されている。肩当接部７は、横向きに寝たときの肩の圧迫を低減し、首部ＫＢの不自然な変形を防止できる。
【００３１】
また、芯材１の側端部１３では、芯材１の上面端縁１２１が下面端縁１１１より左右外方へ延設されている。これによって、芯材１の側端部１３の外方には、芯材１の上面端縁１２１から下面端縁１１１に向けて拡張される略三角形断面の空間が形成されている。そのため、横向きに寝たときに、肘を畳んで手を本枕１０の側端部に添えることができる。また、横向きに寝たとき、顔の側面（頬や鼻等）に当接する芯材１の側端部１３近傍が撓み易くなり、顔に対する違和感を軽減することができる。
【００３２】
また、芯材１は、低反発ウレタンフォームＴＦを基材とするので、ポリオール類とポリイソシアネート類とを主成分とするが、微量なゼリー状の粘着剤（一般に、ゲル又はジェルと呼ぶ）ＧＬが分散配置されて所定の立体形状に形成されている。ここで、微量な粘着剤ＧＬを加えることによって、芯材１の表層における粘弾性を更に高めることができる。そのため、首当接部３（３Ｔ、３Ｓ）や頭当接部４（４Ｔ、４Ｓ）において首、頭、顔等の複雑な形状に滑らかに沿いつつ、枕１０としての必要な弾力性を保持することができる。
【００３３】
また、芯材１には、微細粒子状に形成されたブラックシリカ（黒鉛珪石）やトルマリン（電気石）、珪藻土、ゲルマニウム等の鉱石が、分散配置されている。例えば、ブラックシリカ（黒鉛珪石）はトルマリン（電気石）と同じように、圧力や熱によりマイナスイオンを発生させる働きがある。また、ブラックシリカ（黒鉛珪石）は、携帯電話機等から発生する有害な電磁波を吸収して熱に変える働きや、臭いを吸収し分解する働きがある。また、珪藻土にも、臭いを吸収し分解する働きがある。そのため、芯材１にブラックシリカ（黒鉛珪石）やトルマリン（電気石）、珪藻土、ゲルマニウム等の鉱石粒子を分散配置することによって、マイナスイオン等を発生させると共に、消臭効果を高めて、より快適な安眠を得ることができる。また、カバー部材２は、少なくとも本枕１０の肌に触れる上下面側を柔らかく吸湿性の高い繊維（例えば、テンセル（登録商標）等）で形成し、カバー部材２の快適性を高めることが好ましい。
【００３４】
＜本枕を使用したときの体圧分散の状況＞
次に、本枕を使用したときの体圧分散の状況について、図９を用いて簡単に説明する。図９に、図１に示す枕を使用したときの体圧分散の比較図を示す。図９（Ａ）は、本枕を使用したときの体圧分散図を示し、図９（Ｂ）は、一般的な枕を使用したときの体圧分散図を示す。ここで、一般的な枕は、低反発ウレタンフォームＴＦを基材とするが、芯材の上面で首部が当接する首当接部と頭部が当接する頭当接部とを略同程度の高さで形成した枕である。また、図９（Ａ）（Ｂ）に示す体圧分散図は、いずれも仰向けに寝たときの体圧分散図であって、体圧の大きさをドットの密度で１〜５の水準に段階的に表示している。
【００３５】
本枕１０を使用したときの体圧分散の状況は、図９（Ａ）に示すように、頭部ＴＢの当接する頭当接領域Ｒ１と、首部ＫＢが当接する首当接領域Ｒ２と、背中ＳＢが当接する背中当接領域Ｒ３とにおいて、略同程度の圧力で圧力分散されている。また、頭当接領域Ｒ１と首当接領域Ｒ２と背中当接領域Ｒ３とにおいて、各圧力の大きさは、水準１〜３の範囲にあり、局部的な圧力の上昇は見られない。
【００３６】
これに対して、一般的な枕を使用したときの体圧分散の状況は、図９（Ｂ）に示すように、頭部ＴＢの当接する頭当接領域Ｒ１のみにおいて、圧力が集中されている。また、頭当接領域Ｒ１において、中央部の圧力の大きさは、最高水準５であり、周辺部の圧力の大きさは、最低水準１であり、頭当接領域Ｒ１の中央部において局部的な圧力の集中が見られる。
【００３７】
上記体圧分散の比較によれば、本枕１０は、一般的な枕に比較して、体圧分散が広範囲にわたって行われ、圧力の大きさも低下している。したがって、本枕１０によれば、頭部ＴＢと首部ＫＢと背中ＳＢの各部位において、圧力が効果的に分散され、快適な安眠を得やすくなっている。
【００３８】
＜作用効果＞
以上、詳細に説明したように、本実施形態に係る枕１０によれば、芯材１の下面１１を平坦に形成すると共に、芯材１の中央部１Ｔにおける首当接部３Ｔと頭当接部４Ｔとの高低差Ｄ１が、芯材１の側方部１Ｓにおける首当接部３Ｓと頭当接部４Ｓとの高低差Ｄ２より大きく形成されているので、芯材１の中央部１Ｔで仰向けに寝たときに首筋を自然な状態に保持しながら後頭部を支持でき、また、芯材１の側方部１Ｓで横向きに寝たときにも首筋を自然な状態に保持しながら側頭部を支持できる。そのため、仰向けに寝たときに後頭部が高くなり過ぎて、気道を圧迫した不自然な状態となるのを防止できると共に、首元のカーブの違いから、横向きに寝たときに側頭部が下がり過ぎて首筋がへの字状に曲がり、不自然な状態となるのを防止できる。したがって、寝たときの姿勢によらず、首筋を自然な状態に保持しながら頭部を支持して、安眠を促すことができる。
【００３９】
また、本実施形態によれば、芯材１の中央部１Ｔにおける首当接部３Ｔの下方には、芯材１の硬度より硬い軸状芯材５が軸方向を左右方向に向けて埋設されているので、芯材１の中央部１Ｔにおける首当接部３Ｔの下方への変形を低減して、仰向けに寝たときの首筋をより一層自然な状態に維持することができる。そのため、仰向けに寝たときに、気道を開いた姿勢をより安定して確保できる。
【００４０】
また、本実施形態によれば、芯材１の下面１１側には、軸状芯材５を芯材１内にインサート成形するときに当該軸状芯材５を水平状に支持する支持金具の挿通孔１４が形成されているので、芯材１と軸状芯材５とを簡単な金型で一体成形できる。そのため、より安価な金型構造を用いて、首当接部３Ｔの下方近傍に芯材１の硬度より硬い軸状芯材５を埋設し、仰向けに寝たときの首当接部３Ｔに対する頭当接部４Ｔの高低差Ｄ１を維持することができる。したがって、より低コストで、安眠を促すことができる枕１０を提供することができる。
【００４１】
また、本実施形態によれば、芯材１の中央部１Ｔには、首当接部３Ｔの前方で背中ＳＢに当接する背中当接部６が形成されているので、仰向けに寝たときの背中ＳＢの体重を背中当接部６が受けることによって、首部ＫＢに対する局部的な負担を軽減できる。したがって、首や背中の疲労感を軽減して、より一層安眠を促すことができる。
【００４２】
また、本実施形態によれば、芯材１の側端部１３では、芯材１の上面端縁１２１が下面端縁１１１より左右外方へ延設されているので、横向きに寝たときに肘を畳んで手を枕１０の側端部に添えることができる。また、横向きに寝たとき、顔の側面（頬や鼻等）に当接する芯材１の側端部１３近傍が撓み易く、顔に対する違和感を軽減することができる。そのため、より自然な姿勢で、違和感なく安眠することができる。
【００４３】
また、本実施形態によれば、芯材１は、低反発ウレタンフォームＴＦに微量のゼリー状の粘着剤ＧＬが分散配置されて所定の立体形状に形成されているので、首当接部３（３Ｔ、３Ｓ）や頭当接部４（４Ｔ、４Ｓ）において首、頭、顔等の複雑な形状に滑らかに沿いつつ、枕１０としての必要な弾力性を保持することができる。その結果、寝たときの姿勢によらず、首筋を自然な状態に保持しながら頭部を柔らかく安定的に支持して、より一層心地よい安眠を促すことができる。
【産業上の利用可能性】
【００４４】
本考案は、寝たときの姿勢によらず、首筋を自然な状態に保持しながら頭部を支持して、安眠を促すことができる枕として利用できる。
【符号の説明】
【００４５】
１                              芯材
１Ｔ                            中央部
１Ｓ                            側方部
２                              カバー部材
３、３Ｔ、３Ｓ                  首当接部
４、４Ｔ、４Ｓ                  頭当接部
５                              軸状芯材
６                              背中当接部
１０                            枕
１１                            下面
１２                            上面
１３                            側端部
１４                            挿通孔
１１１                          下面端縁
１２１                          上面端縁
Ｄ１、Ｄ２                      高低差
ＴＢ                            頭部
ＫＢ                            首部
ＳＢ                            背中
ＴＦ                            低反発ウレタンフォーム
ＧＬ                            粘着剤
【図１】
0003223788.tif 000003
【図２】
0003223788.tif 000004
【図３】
0003223788.tif 000005
【図４】
0003223788.tif 000006
【図５】
0003223788.tif 000007
【図６】
0003223788.tif 000008
【図７】
0003223788.tif 000009
【図８】
0003223788.tif 000010
【図９】
0003223788.tif 000011
【図１０】
0003223788.tif 000012